(57)【要約】      （修正有）【課題】まくら類のクッションを入れる開口部に止着するスライドファスナーのスライダーの引手や爪による怪我や衣服の損傷を解消し、さらに中味のクッションが取りだせない様に、スライダーを隠ぺいし固定する。【解決手段】一対のまくら布地どうしを重ね、開口部をあけて布地を縫合し、開口部終端部で基布どうしに跨がる返し縫いを行い、開口部間口寸法よりも、スライダーを格納する寸法と縫いしろ分、全長の長いスライドファスナーを載せファスナーの周囲を縫着して、その開口部終端側に布地裏面およびスライドファスナー表面の縫合部分により三方袋状部分を形成して、スライダーを押し込み格納する。【選択図】図２
0003106654.tif 000002
【実用新案登録請求の範囲】
【請求項１】
一対の基布どうしを重ね袋状に縫合して開口部にスライドファスナーを装着するに際し、開口部となす所定の寸法をあけて互いの辺を縫合し、縫合面に沿いそれらの縫いしろ部を広げ、開口部終端部に於いて基布どうしに跨がる長さ９ミリメートル以上３２ミリメートル以下の長さの返し縫いを行い、さらに当該開口部に開口部間口寸法よりも４０ミリメートル以上で６０ミリメートル以下となる分全長の長いスライドファスナーにスライダーを１個装着して、片端は開口部始端より略１０ミリメートル、他端は開口部終端より略３０ミリメートル以上５０ミリメートル以下重なる様に載置し、開口部間口長手方向はスライドファスナーテープ部分の略中央を、また幅方向はスライドファスナーの左右テープ部分を当該テープ部分をまたぎ基布と縫着してなり、開口部終端側に於いて基布裏面およびスライドファスナー表面の縫合部分により長さ２０ミリメートル以上４０ミリメートル以下、幅略１５ミリメートルの三方袋状部分を形成し、スライダーの格納部としたまくらまたは抱きまくら、足まくら、若しくは腕まくら、クッションおよび前記各々のまくらカバー、およびクッションカバー。
【請求項２】
スライドファスナーのテープ部分の全長すべてに務歯が止着されているスライドファスナーにて、上止および下止を止着せず、同時に自由スライダーを装着したスライドファスナーを用いる請求項１に示す縫着構造としたとしたまくらまたは抱きまくら、足まくら、若しくは腕まくら、クッションおよび前記各々のまくらカバー、およびクッションカバー。
【考案の詳細な説明】
【技術分野】
【０００１】本考案は、主として就寝時に使用されるまくら、足まくら、腕まくら、および就寝時または休息姿勢で利用される抱きまくら、クッションに関する。
【背景技術】
【０００２】従来の多くの縫製方法によるまくらでは、スライドファスナーを閉じた後、スライダーおよび引手は、開口部の片端部に露出する構成であるが、スライドファスナーに上止を設け、テープ長さを開口部間口寸法よりも長く設定しておき、スライドファスナーを閉めた後、まくら本体に押し込む方法でスライダー本体および引手を隠ぺいする構造とした製品も広く知られている。
【考案の開示】
【考案が解決しようとする課題】
【０００３】  一般に周知のとおり、まくらは、クッション体を取り巻くカバーを縫合、被覆し、クッション体と一体に形成した寝具であるが、カバーには開閉部を司る開閉機能を有する代表的な縫製用副資材として広くスライドファスナーが利用されている。【０００４】しかし、低反発性能や、抗菌効果、放熱効果などの様々な機能性を有したクッション体を組み込む場合が増えており、使用者がクッション体を脱着できない構造が求められていると同時に、生産者としては組立作業性が向上し、コストも低減できる構造を求めている。【０００５】また一方、スライドファスナーは、その構造上、使用時においては不要であるスライダー、およびスライダーに嵌合止着された引手が、突起物となり使用者の身体に触れることがあるが、まくらは就寝のために頭部を支持するために用いられ、薄手の衣服を身につけた程度で無防備で利用される為、これらスライダーの引手または当該スライダーに設けられた鋭利な爪が、使用者の身体、とりわけ頭部や頚部、肩部に接触すれば、その違和感は相当の苦痛を伴い怪我をする場合も生じている。【０００６】また、「抱きまくら」と呼ばれるまくらも普及しており、まくらの機能として、頭部の支持のみでなく、脚部、腕部など身体の各部の支持を行うために用いられる。【０００７】このまくらは、就寝を目的とするものでなく、単に身体のリラックス姿勢をとる場合など、椅子類に載置されるクッション類と同様の利用方法で幅広くされる為、まくらに通常の衣服のまま、接触する場合も多々有る。【０００８】上述の通りの状況で、女性が利用する際、着用したストッキングに当該スライダーに設けられた鋭利な爪が接触するだけで、ストッキングを破く事故が発生している。【０００９】本考案は、上述の様な課題を解消する為に、市販の安価なスライドファスナーを用いて、布地、スライドファスナーよりなる縫着構造により、機能部位を形成し、スライドファスナーのスライダーを隠蔽すると同時にスライダーを固定し、さらに内容物となるクッション体を密閉させる機能を有する、安全で経済的な縫製構造を用いたまくらである。
【課題を解決するための手段】
【００１０】表皮の一対の基布Ａ３と基布Ｂ４どうしを重ねて袋状に縫合してまくら縫製品を作るにあたり、そのまくら縫製品のクッションを入れる開口部１８にはスライドファスナー５を装着する。【００１１】このスライドファスナー５の縫製に際して、完成品の開口部１８とする所定の寸法をあけて基布Ａ３と基布Ｂ４の互いの辺を、縫い糸１６を用いて縫合しその縫合面に沿いそれらの基布Ａ３と基布Ｂ４の縫いしろ部２０を広げ平面にして、開口部１８の開口終端部２５に於いて、基布Ａ３と基布Ｂ４の基布どうしに跨がる返し縫い１７を行う。【００１２】この縫い糸による返し縫い１７は、縫い長さが９ミリメートル以上３２ミリメートル以下の長さの基布Ａ３と基布Ｂ４の基布どうしに跨がる返し縫い１７である。【００１３】次ぎに、これら開口部１８に開口部間口寸法よりも４０ミリメートル以上で６０ミリメートル以下となる分全長の長いスライドファスナー５を載置して縫製するが、そのスライドファスナー５にはスライダー７を１個装着しておき、スライドファスナー５の片端は開口始端部２４より略１０ミリメートル分ファスナー縫いしろ２１を重ね載置すると、他端は開口終端部２５より略３０ミリメートル以上５０ミリメートル以下重なる様になる。【００１４】この際、スライダー７の向きは、閉じる方向が開口終端部２５側になり、すなわち略３０ミリメートル以上５０ミリメートル以下重なる側にして、またスライダー７を動かす引手９は下面側に、すなわち完成状態で外面となる方向になる様に載置する。【００１５】スライドファスナー５と各々の基布Ａ、Ｂとの縫製は、開口部間口１８長手方向はスライドファスナー５のテープ部分１２の略中央を、また幅方向はスライドファスナー５の左右テープ部分１２を、当該テープ部分１２をまたぎ基布Ａ３および基布Ｂ４と縫い糸１６を用いて縫着する。【００１６】上述の通りの縫製を行い、開口終端部２５側に於いて基布の裏面およびスライドファスナー５の表面の縫着された部分には、長さがおよそ２０ミリメートル以上４０ミリメートル以下、幅略１５ミリメートルで、三方向が袋状に縫製された格納部分が形成される。【００１７】すなわち本考案の要所である、スライダー７を格納・一時固着する部位を縫製構造により形成している。【００１８】また、上述のスライドファスナー５は、全長すべてに務歯１０が止着されているスライドファスナー５で、スライダー７の抜け防止機能をになう上止６および下止１１を止着しないスライドファスナーを用いた構造でも良い。【００１９】同時に、スライダー７に、一時固定機能をになう爪１３のない、自由スライダーを装着したスライドファスナーを用いても良く、本来スライダー本体８の固定の為の爪１３を必要としない。【００２０】この様にして縫製した製品であるから、クッションを挿入し製品を完成させる際、スライドファスナー５のスライダー７を動かし閉じたのち、スライダーの引手９を倒して、この袋状の部分にスライダー７を押し込み格納・隠ぺいすることを可能としている。
【考案の効果】
【００２１】本考案に係るまくらは、上述の様な構成であるため、下記の通りの効果を奏し得る。
○クッション体の組み込み作業での布地切れなどの事故を防止する。
○使用者のスライドファスナーの開閉が困難である。
○スライダーが見えず、審美感が得られる。
○怪我、衣服の破損などをなくし、身体や衣服への危害を防止する。
○確実にスライダーの動きを防止する。
○コストが安い。
【考案を実施するための最良の形態】
【００２２】考案を実施するための最良の形態を以下の実施例を元に具体的に示す。
【実施例】
【００２３】図１は、本考案に係るまくらの斜視図を示し、図２、図３は、本考案に係る開口部の状態を示す図であり、図４は、図３に示すＡａ断面を、図５は、図３に示すＢｂ断面を示し、図４、図５はそれぞれ上段がスライダー７がない場合の断面を、また下段がスライダー７がある場合の断面を示している。【００２４】図６から図８は、スライドファスナーの構造図であり、図９から図１２は、ファスナーを閉める作業状態の斜視図を示し、図１３は、完成状態を示す。【００２５】また、図１４、図１５は、良く知られた従来のまくらに於ける縫製例を示す。【００２６】まず、図６に示す様に、本考案で利用するスライドファスナーは、代表的な縫製用副資材として広く利用されているもので、噛み合う歯の部分の務歯１０を止着したテープ部分１２と、噛み合わせる為のスライダー本体８、そのスライダーを動かす引手９からなる。【００２７】図２に示す様に、基布Ａ３と基布Ｂ４との端部を上下一致させて、端部より１０ミリメートル幅の縫いしろ２０をとり縫合するが、この際に最終的な開口部分の開口部間口１８と同一寸法をあけて縫合し、次に、縫合した縫い線に沿って、基布Ａ３と基布Ｂ４を左右方向に開き、縫合された１０ミリメートル幅の縫いしろ２０も縫い線に沿って左右に開き折り返す。【００２８】図２に示す様に、左右に縫いしろ２０を開いた面が最終的な中面、また、基布Ａ３と基布Ｂ４が縫い線で突き合わせになっている面が外面になるが、縫製を行う上では、外面を下方として、すなわち、基布Ａ３と基布Ｂ４のそれぞれの折り返された縫いしろ２０が突き合わせとなっている中面を図の様に上方にする。【００２９】次に、開口終端部２５のみで、縫い糸による返し縫い１７で、標準縫い長さ２０ミリメートル（９ミリメートル以上３２ミリメートル以下の長さ）の基布Ａ３と基布Ｂ４の基布どうしに跨がる複数回の返し縫い１７を行う。【００３０】この返し縫い１７は、縫製完成品へクッションを入れる実作業に於いて加わる開口部を押し広げる力２３により、基布Ａ３と基布Ｂ４が引き裂かれることを防止する補強糸となる。【００３１】すなわち、図９に示す様に、クッションを入れる際、スライドファスナー５のスライダー７は、開口始端部２４にある為、開口部を押し広げる力２３が基布Ａ３と基布Ｂ４に加わっても、ファスナーのテープ部分１２により、力がスライダー７に逃げ、開口部を押し広げる力２３を分散する。【００３２】一方、開口終端部２５では、基布Ａ３と基布Ｂ４に加わった力は、スライドファスナー５に分散できず、基布Ａ３と基布Ｂ４相互の引裂力そのものになる。【００３３】従って、縫い糸による返し縫い１７を開口終端部２５のみで行うことは、審美性からも、経済性からも本考案の重要な構成要素である。【００３４】次に、スライドファスナー５を基布Ａ３と基布Ｂ４に載置し縫合するが、このスライドファスナー５の長さ寸法は次式の数１により算出する。【００３５】
【数１】
（スライドファスナー全長２２）＝（開口部間口寸法１８）＋（スライダーの引手を倒した状態の寸法１９）＋（スライドファスナー縫いしろ２１（１０ミリメートル））×２
【００３６】上述の式により算出された寸法で、図３に示す様に、スライドファスナー５のテープ部分１２を、基布Ａ３と基布Ｂ４のそれぞれの折り返された縫いしろ２０が突き合わせとなっている部分に合わせ、載置して、間口長手は、テープ部分１２の略中央をまた、短辺はスライドファスナー５の左右をまたぎ、縫着線が矩形となる様に縫合する。
【００３７】スライドファスナー５のテープ部分１２の片端を、基布どうしの縫合端部（開口始端部２４）より、１０ミリメートル重ねて載置するため、他端部では、基布どうしの縫合端部（開口終端部２５）より、スライダーの引手を倒した寸法１９に、縫いしろ２１分１０ミリメートルを加えた寸法だけ重ね合わされることになる。
【００３８】上述の通りの状態で縫製を行えば、矩形状の縫い線は、短辺の位置が、基布どうしの縫合端部である開口始端部２４の上に重なり、他端の短辺の位置は、開口終端部２５より、スライダーの引手を倒した状態の寸法１９だけ縫合部の外側になる。
【００３９】完成状態では、図４に示す様に、常にスライドファスナー５が、基布どうしの縫いしろ２０部分で形成されたかぶせ布部１により隠ぺいされるが、スライドファスナー５を開いた状態では、図４および図１０に示す様に、片端に、スライダー７、および引き起こされたスライダーの引手９が露出して、閉方向への移動操作を可能とする。
【００４０】さらに、図１１に示す様に、閉方向まで移動操作を行ない開口終端部２５に達すると、まだスライダー７、および引き起こされたスライダーの引手９は露出したままであるが、図１２に示す様にスライダーの引手９をスライダー７側に戻し、次に引手９の上端部を閉方向に押す力を加えると、図５および図１３に示す様に、スライダー７は、先に縫合された基布とスライドファスナー５のテープ部分１２で形成された袋状の格納部に、押し込まれ格納される。
【００４１】上述の通りの過程を経て、閉じられたスライドファスナー部分の完成状態では、基布どうしの縫いしろ２０部分で形成されたかぶせ布１を広げても、スライダー７の存在が視認されることがなく、極めて高い審美感が得られることに加え、本考案の目的とする安全性が確保され、さらに利用者が意図的に開口して、クッション体を取り出す行為を防止することを可能とする。
【００４２】さらに、図６に示す様に、スライドファスナーでは、止製品と呼ばれるスライドファスナーの左右分離ができないタイプのファスナーが用いられ、スライダー７が抜けてしまうことを防止するために、閉じる方向には上止６、開く方向には下止１１と呼ばれる務歯１０に止着する留め金が標準的に用いられているが、本考案の縫製方法では、使用するスライドファスナーには、上止６、下止１１双方とも不要であり経済的でもある。
【００４３】すなわち、通常、スライドファスナーは、噛み合う歯の部分の務歯１０を止着した基布のテープ部分１２と、噛み合わせる為の柱・胴体をもつスライダー７、そのスライダー７を動かす引手９からなり、スライダー７を移動させる動作の起点と終点を決める留め金を要するが、本考案の縫製方法をもっては、返し縫い糸１７でその構成機能を代用せしめるものである。
【００４４】また一方、務歯１０の材質がポリプロピレンなどの肌に安全な軟質の樹脂製である場合でも、上止６、下止１１と呼ばれる留め金は、金属製であるため、これを省略できる為の利益は安全性の確保という意味でも大きい。
【００４５】図１５に示す様な従来の縫製方法において、スライドファスナーに上止６を設け、テープ部分１２の長さを開口部間口１８よりも５０ミリメートル程度長く設定しておき、スライドファスナー５を閉めた後、まくら本体に押し込む縫製方法で、スライダー本体８および引手９を隠ぺいする構造とした製品も知られているが、この方法ではスライドファスナー５は、開口始端部２４側では基布に縫着されるが、閉め側は基布に縫着せず、スライドファスナー５の端部を解放して浮かせておく。
【００４６】従って、外見上は、スライダー７が隠ぺいされるが、スライドファスナー５の全周を基布と縫着する縫製方法と異なり、縫着されない部分が残り、まくらの密閉性が損なわれると共に、スライドファスナーの上止６、テープ部分１２および、スタイダーが飛び出してしまう危険性が残り、また開口部の強度が不足し、本考案の構成要素により得られる機能を満たすことは困難である。
【図面の簡単な説明】
【図１】本考案に係るまくらの斜視図である。
【図２】本考案に係る開口部の構成を示す斜視図である。
【図３】同上の開口部の完成状態を示す斜視図である。
【図４】同上開口部の断面図である。
【図５】同上格納部の断面図である。
【図６】スライドファスナーの構造図である。
【図７】ストッパー付スライダーの構造図である。
【図８】スライダーの斜視図である。
【図９】開口部を押し広げた状態の斜視図である。
【図１０】ファスナーを閉める前の状態の斜視図である。
【図１１】ファスナーを閉めた直後の状態の斜視図である。
【図１２】スライダーを押し込む作業時の斜視図である。
【図１３】完成した外観の斜視図である。
【図１４】従来のまくら縫製例の斜視図である。
【図１５】従来のまくら縫製例の斜視図である。
【符号の説明】
１    かぶせ布部
２    クッション体
３    基布Ａ
４    基布Ｂ
５    スライドファスナー
６    上止
７    スライダー
８    本体
９    引手
１０    務歯
１１    下止
１２    テープ部分
１３    爪
１４    上耳
１５    下耳
１６    縫い糸
１７    返し縫い（返し縫い糸）
１８    開口部間口
１９    引手を倒した状態の寸法
２０    縫いしろ
２１    ファスナーの縫いしろ
２２    ファスナー全長
２３    開口部を押し広げる力
２４    開口始端部
２５    開口終端部
２６    手
【図１】
0003106654.tif 000003
【図２】
0003106654.tif 000004
【図３】
0003106654.tif 000005
【図４】
0003106654.tif 000006
【図５】
0003106654.tif 000007
【図６】
0003106654.tif 000008
【図７】
0003106654.tif 000009
【図８】
0003106654.tif 000010
【図９】
0003106654.tif 000011
【図１０】
0003106654.tif 000012
【図１１】
0003106654.tif 000013
【図１２】
0003106654.tif 000014
【図１３】
0003106654.tif 000015
【図１４】
0003106654.tif 000016
【手続補正書】
【提出日】平成16年9月15日(2004.9.15)
【手続補正１】
【補正対象書類名】明細書
【補正対象項目名】全文
【補正方法】変更
【補正の内容】
【考案の詳細な説明】
【技術分野】
【０００１】本考案は、主として就寝時に使用されるまくら、足まくら、腕まくら、および就寝時または休息姿勢で利用される抱きまくら、クッションに関する。
【背景技術】
【０００２】従来の多くの縫製方法によるまくらでは、スライドファスナーを閉じた後、スライダーおよび引手は、開口部の片端部に露出する構成であるが、スライドファスナーに上止を設け、テープ長さを開口部間口寸法よりも長く設定しておき、スライドファスナーを閉めた後、まくら本体に押し込む方法でスライダー本体および引手を隠ぺいする構造とした製品も広く知られている。
【考案の開示】
【考案が解決しようとする課題】
【０００３】  一般に周知のとおり、まくらは、クッション体を取り巻くカバーを縫合、被覆し、クッション体と一体に形成した寝具であるが、カバーには開閉部を司る開閉機能を有する代表的な縫製用副資材として広くスライドファスナーが利用されている。【０００４】しかし、低反発性能や、抗菌効果、放熱効果などの様々な機能性を有したクッション体を組み込む場合が増えており、使用者がクッション体を脱着できない構造が求められていると同時に、生産者としては組立作業性が向上し、コストも低減できる構造を求めている。【０００５】また一方、スライドファスナーは、その構造上、使用時においては不要であるスライダー、およびスライダーに嵌合止着された引手が、突起物となり使用者の身体に触れることがあるが、まくらは就寝のために頭部を支持するために用いられ、薄手の衣服を身につけた程度で無防備で利用される為、これらスライダーの引手または当該スライダーに設けられた鋭利な爪が、使用者の身体、とりわけ頭部や頚部、肩部に接触すれば、その違和感は相当の苦痛を伴い怪我をする場合も生じている。【０００６】また、「抱きまくら」と呼ばれるまくらも普及しており、まくらの機能として、頭部の支持のみでなく、脚部、腕部など身体の各部の支持を行うために用いられる。【０００７】このまくらは、就寝を目的とするものでなく、単に身体のリラックス姿勢をとる場合など、椅子類に載置されるクッション類と同様の利用方法で幅広くされる為、まくらに通常の衣服のまま、接触する場合も多々有る。【０００８】上述の通りの状況で、女性が利用する際、着用したストッキングに当該スライダーに設けられた鋭利な爪が接触するだけで、ストッキングを破く事故が発生している。【０００９】本考案は、上述の様な課題を解消する為に、市販の安価なスライドファスナーを用いて、布地、スライドファスナーよりなる縫着構造により、機能部位を形成し、スライドファスナーのスライダーを隠蔽すると同時にスライダーを固定し、さらに内容物となるクッション体を密閉させる機能を有する、安全で経済的な縫製構造を用いたまくらである。
【課題を解決するための手段】
【００１０】表皮の一対の基布Ａ３と基布Ｂ４どうしを重ねて袋状に縫合してまくら縫製品を作るにあたり、そのまくら縫製品のクッションを入れる開口部１８にはスライドファスナー５を装着する。【００１１】このスライドファスナー５の縫製に際して、完成品の開口部１８とする所定の寸法をあけて基布Ａ３と基布Ｂ４の互いの辺を、縫い糸１６を用いて縫合しその縫合面に沿いそれらの基布Ａ３と基布Ｂ４の縫いしろ部２０を広げ平面にして、開口部１８の開口終端部２５に於いて、基布Ａ３と基布Ｂ４の基布どうしに跨がる返し縫い１７を行う。【００１２】この縫い糸による返し縫い１７は、縫い長さが９ミリメートル以上３２ミリメートル以下の長さの基布Ａ３と基布Ｂ４の基布どうしに跨がる返し縫い１７である。【００１３】次ぎに、これら開口部１８に開口部間口寸法よりも４０ミリメートル以上で６０ミリメートル以下となる分全長の長いスライドファスナー５を載置して縫製するが、そのスライドファスナー５にはスライダー７を１個装着しておき、スライドファスナー５の片端は開口始端部２４より略１０ミリメートル分ファスナー縫いしろ２１を重ね載置すると、他端は開口終端部２５より略３０ミリメートル以上５０ミリメートル以下重なる様になる。【００１４】この際、スライダー７の向きは、閉じる方向が開口終端部２５側になり、すなわち略３０ミリメートル以上５０ミリメートル以下重なる側にして、またスライダー７を動かす引手９は下面側に、すなわち完成状態で外面となる方向になる様に載置する。【００１５】スライドファスナー５と各々の基布Ａ、Ｂとの縫製は、開口部１８間口長手方向はスライドファスナー５のテープ部分１２の略中央を、また幅方向はスライドファスナー５の左右テープ部分１２を、当該テープ部分１２をまたぎ基布Ａ３および基布Ｂ４と縫い糸１６を用いて縫着する。【００１６】上述の通りの縫製を行い、開口終端部２５側に於いて基布の裏面およびスライドファスナー５の表面の縫着された部分には、長さがおよそ２０ミリメートル以上４０ミリメートル以下、幅略１５ミリメートルで、三方向が袋状に縫製された格納部分が形成される。【００１７】すなわち本考案の要所である、スライダー７を格納・一時固着する部位を縫製構造により形成している。【００１８】また、上述のスライドファスナー５は、全長すべてに務歯１０が止着されているスライドファスナー５で、スライダー７の抜け防止機能をになう上止６および下止１１を止着しないスライドファスナーを用いた構造でも良い。【００１９】同時に、スライダー７に、一時固定機能をになう爪１３のない、自由スライダーを装着したスライドファスナーを用いても良く、本来スライダー本体８の固定の為の爪１３を必要としない。【００２０】この様にして縫製した製品であるから、クッションを挿入し製品を完成させる際、スライドファスナー５のスライダー７を動かし閉じたのち、スライダーの引手９を倒して、この袋状の部分にスライダー７を押し込み格納・隠ぺいすることを可能としている。
【考案の効果】
【００２１】本考案に係るまくらは、上述の様な構成であるため、下記の通りの効果を奏し得る。
○クッション体の組み込み作業での布地切れなどの事故を防止する。
○使用者のスライドファスナーの開閉が困難である。
○スライダーが見えず、審美感が得られる。
○怪我、衣服の破損などをなくし、身体や衣服への危害を防止する。
○確実にスライダーの動きを防止する。
○コストが安い。
【考案を実施するための最良の形態】
【００２２】考案を実施するための最良の形態を以下の実施例を元に具体的に示す。
【実施例】
【００２３】図１は、本考案に係るまくらの斜視図を示し、図２、図３は、本考案に係る開口部の状態を示す図であり、図４は、図３に示すＡａ断面を、図５は、図３に示すＢｂ断面を示し、図４、図５はそれぞれ上段がスライダー７がない場合の断面を、また下段がスライダー７がある場合の断面を示している。【００２４】図６から図８は、スライドファスナーの構造図であり、図９から図１２は、ファスナーを閉める作業状態の斜視図を示し、図１３は、完成状態を示す。【００２５】また、図１４は、良く知られた従来のまくらに於ける縫製例を示す。【００２６】まず、図６に示す様に、本考案で利用するスライドファスナーは、代表的な縫製用副資材として広く利用されているもので、噛み合う歯の部分の務歯１０を止着したテープ部分１２と、噛み合わせる為のスライダー本体８、そのスライダーを動かす引手９からなる。【００２７】図２に示す様に、基布Ａ３と基布Ｂ４との端部を上下一致させて、端部より１０ミリメートル幅の縫いしろ２０をとり縫合するが、この際に最終的な開口部分の開口部１８間口と同一寸法をあけて縫合し、次に、縫合した縫い線に沿って、基布Ａ３と基布Ｂ４を左右方向に開き、縫合された１０ミリメートル幅の縫いしろ２０も縫い線に沿って左右に開き折り返す。【００２８】図２に示す様に、左右に縫いしろ２０を開いた面が最終的な中面、また、基布Ａ３と基布Ｂ４が縫い線で突き合わせになっている面が外面になるが、縫製を行う上では、外面を下方として、すなわち、基布Ａ３と基布Ｂ４のそれぞれの折り返された縫いしろ２０が突き合わせとなっている中面を図の様に上方にする。【００２９】次に、開口終端部２５のみで、縫い糸による返し縫い１７で、標準縫い長さ２０ミリメートル（９ミリメートル以上３２ミリメートル以下の長さ）の基布Ａ３と基布Ｂ４の基布どうしに跨がる複数回の返し縫い１７を行う。【００３０】この返し縫い１７は、縫製完成品へクッションを入れる実作業に於いて加わる開口部を押し広げる力２３により、基布Ａ３と基布Ｂ４が引き裂かれることを防止する補強糸となる。【００３１】すなわち、図９に示す様に、クッションを入れる際、スライドファスナー５のスライダー７は、開口始端部２４にある為、開口部を押し広げる力２３が基布Ａ３と基布Ｂ４に加わっても、ファスナーのテープ部分１２により、力がスライダー７に逃げ、開口部を押し広げる力２３を分散する。【００３２】一方、開口終端部２５では、基布Ａ３と基布Ｂ４に加わった力は、スライドファスナー５に分散できず、基布Ａ３と基布Ｂ４相互の引裂力そのものになる。【００３３】従って、縫い糸による返し縫い１７を開口終端部２５のみで行うことは、審美性からも、経済性からも本考案の重要な構成要素である。【００３４】次に、スライドファスナー５を基布Ａ３と基布Ｂ４に載置し縫合するが、このスライドファスナー５の長さ寸法は次式の数１により算出する。【００３５】
【数１】
（スライドファスナー全長２２）＝（開口部１８間口寸法）＋（スライダーの引手を倒した状態の寸法１９）＋（スライドファスナー縫いしろ２１（１０ミリメートル））×２
【００３６】上述の式により算出された寸法で、図３に示す様に、スライドファスナー５のテープ部分１２を、基布Ａ３と基布Ｂ４のそれぞれの折り返された縫いしろ２０が突き合わせとなっている部分に合わせ、載置して、間口長手は、テープ部分１２の略中央をまた、短辺はスライドファスナー５の左右をまたぎ、縫着線が矩形となる様に縫合する。
【００３７】スライドファスナー５のテープ部分１２の片端を、基布どうしの縫合端部（開口始端部２４）より、１０ミリメートル重ねて載置するため、他端部では、基布どうしの縫合端部（開口終端部２５）より、スライダーの引手を倒した寸法１９に、縫いしろ２１分１０ミリメートルを加えた寸法だけ重ね合わされることになる。
【００３８】上述の通りの状態で縫製を行えば、矩形状の縫い線は、短辺の位置が、基布どうしの縫合端部である開口始端部２４の上に重なり、他端の短辺の位置は、開口終端部２５より、スライダーの引手を倒した状態の寸法１９だけ縫合部の外側になる。
【００３９】完成状態では、図４に示す様に、常にスライドファスナー５が、基布どうしの縫いしろ２０部分で形成されたかぶせ布部１により隠ぺいされるが、スライドファスナー５を開いた状態では、図４および図１０に示す様に、片端に、スライダー７、および引き起こされたスライダーの引手９が露出して、閉方向への移動操作を可能とする。
【００４０】さらに、図１１に示す様に、閉方向まで移動操作を行ない開口終端部２５に達すると、まだスライダー７、および引き起こされたスライダーの引手９は露出したままであるが、図１２に示す様にスライダーの引手９をスライダー７側に戻し、次に引手９の上端部を閉方向に押す力を加えると、図５および図１３に示す様に、スライダー７は、先に縫合された基布とスライドファスナー５のテープ部分１２で形成された袋状の格納部に、押し込まれ格納される。
【００４１】上述の通りの過程を経て、閉じられたスライドファスナー部分の完成状態では、基布どうしの縫いしろ２０部分で形成されたかぶせ布１を広げても、スライダー７の存在が視認されることがなく、極めて高い審美感が得られることに加え、本考案の目的とする安全性が確保され、さらに利用者が意図的に開口して、クッション体を取り出す行為を防止することを可能とする。
【００４２】さらに、図６に示す様に、スライドファスナーでは、止製品と呼ばれるスライドファスナーの左右分離ができないタイプのファスナーが用いられ、スライダー７が抜けてしまうことを防止するために、閉じる方向には上止６、開く方向には下止１１と呼ばれる務歯１０に止着する留め金が標準的に用いられているが、本考案の縫製方法では、使用するスライドファスナーには、上止６、下止１１双方とも不要であり経済的でもある。
【００４３】すなわち、通常、スライドファスナーは、噛み合う歯の部分の務歯１０を止着した基布のテープ部分１２と、噛み合わせる為の柱・胴体をもつスライダー７、そのスライダー７を動かす引手９からなり、スライダー７を移動させる動作の起点と終点を決める留め金を要するが、本考案の縫製方法をもっては、返し縫い糸１７でその構成機能を代用せしめるものである。
【００４４】また一方、務歯１０の材質がポリプロピレンなどの肌に安全な軟質の樹脂製である場合でも、上止６、下止１１と呼ばれる留め金は、金属製であるため、これを省略できる為の利益は安全性の確保という意味でも大きい。
【００４５】図１４に示す様な従来の縫製方法において、スライドファスナーに上止６を設け、テープ部分１２の長さを開口部間口１８よりも５０ミリメートル程度長く設定しておき、スライドファスナー５を閉めた後、まくら本体に押し込む縫製方法で、スライダー本体８および引手９を隠ぺいする構造とした製品も知られているが、この方法ではスライドファスナー５は、開口始端部２４側では基布に縫着されるが、閉め側は基布に縫着せず、スライドファスナー５の端部を解放して浮かせておく。
【００４６】従って、外見上は、スライダー７が隠ぺいされるが、スライドファスナー５の全周を基布と縫着する縫製方法と異なり、縫着されない部分が残り、まくらの密閉性が損なわれると共に、スライドファスナーの上止６、テープ部分１２および、スタイダーが飛び出してしまう危険性が残り、また開口部の強度が不足し、本考案の構成要素により得られる機能を満たすことは困難である。
【図面の簡単な説明】
【００４７】
【図１】本考案に係るまくらの斜視図である。
【図２】本考案に係る開口部の構成を示す斜視図である。
【図３】同上の開口部の完成状態を示す斜視図である。
【図４】同上開口部の断面図である。
【図５】同上格納部の断面図である。
【図６】スライドファスナーの構造図である。
【図７】ストッパー付スライダーの構造図である。
【図８】スライダーの斜視図である。
【図９】開口部を押し広げた状態の斜視図である。
【図１０】ファスナーを閉める前の状態の斜視図である。
【図１１】ファスナーを閉めた直後の状態の斜視図である。
【図１２】スライダーを押し込む作業時の斜視図である。
【図１３】完成した外観の斜視図である。
【図１４】従来のまくら縫製例の斜視図である。
【符号の説明】
【００４８】    １    かぶせ布部
２    クッション体
３    基布Ａ
４    基布Ｂ
５    スライドファスナー
６    上止
７    スライダー
８    本体
９    引手
１０    務歯
１１    下止
１２    テープ部分
１３    爪
１４    上耳
１５    下耳
１６    縫い糸
１７    返し縫い（返し縫い糸）
１８    開口部
１９    引手を倒した状態の寸法
２０    縫いしろ
２１    ファスナー縫いしろ
２２    ファスナー全長
２３    開口部を押し広げる力
２４    開口始端部
２５    開口終端部
２６    手